(57)【要約】      （修正有）【課題】溶接コストの削減、生産効率の向上、製品の外観的美しさ、実用性、安全性が実現される収納かごを提供する。【解決手段】収納かごフレームと収納かご底板を含み、収納かごフレームはメッシュプレート本体からなり、メッシュプレート本体は溶接レスのパンチ張り出しメッシュプレートであり、中央部のメッシュシートと、両側のサイドフレームを含み、両側のサイドフレームは、一方がメッシュシートに対し垂直な方向に折り曲げられることで外サイドフレームを形成し、他方が反対方向に折り曲げられることで内サイドフレームを形成し、サイドフレームが設けられない両サイドの前後を連接することで収納かごフレームが形成される。メッシュプレート本体は溶接不要の一体成型構造であり、収納かご底板は、収納かごフレームの底部における内サイドフレームに配設される。【選択図】図１
0003217530.tif 000002
【実用新案登録請求の範囲】
【請求項１】
物品を保管するための収納かごにおいて、
収納かごフレームと収納かご底板を含み、前記収納かごフレームはメッシュプレート本体からなり、前記メッシュプレート本体は溶接レスのパンチ張り出しメッシュプレートであり、前記メッシュプレート本体は、メッシュプレート本体中央部のメッシュシートと、メッシュプレート本体両側のサイドフレームを含み、前記メッシュプレート本体両側のサイドフレームは、一方が前記メッシュシートに対し垂直な方向に折り曲げられることで外サイドフレームを形成し、他方が反対方向に折り曲げられることで内サイドフレームを形成し、前記メッシュプレート本体のうちサイドフレームが設けられない両サイドの前後を連接することで前記収納かごフレームが形成され、前記メッシュプレート本体は溶接不要の一体成型構造であり、前記収納かご底板は、前記収納かごが形成されるよう前記収納かごフレームの底部における内サイドフレームに配設されることを特徴とする収納かご。
【請求項２】
前記溶接レスのパンチ張り出しメッシュプレートは、長方形、正方形、円形、菱形又は扇形であることを特徴とする請求項１に記載の収納かご。
【請求項３】
前記メッシュプレート本体中央部のメッシュシートには、複数のメッシュが開設されていることを特徴とする請求項１に記載の収納かご。
【請求項４】
前記メッシュは菱形であることを特徴とする請求項３に記載の収納かご。
【請求項５】
前記収納かご底板は、溶接レスのパンチ張り出しメッシュプレートであり、前記メッシュプレートのうちサイドフレームが設けられない両サイドには、メッシュシート両端の尖端部で人を傷つけることのないよう、防護サイドフレームが設けられていることを特徴とする請求項１に記載の収納かご。
【請求項６】
前記メッシュプレート本体は、金属メッシュプレート本体として設けられることを特徴とする請求項１に記載の収納かご。
【請求項７】
前記メッシュプレート本体のうちサイドフレームが設けられない両サイドの前後を連接して溶接することで、前記収納かごフレームが形成されることを特徴とする請求項１に記載の収納かご。
【請求項８】
前記収納かご底板は、ネジで前記収納かごフレームの底部における内サイドフレームに固定されることを特徴とする請求項１に記載の収納かご。
【請求項９】
前記メッシュプレート本体のうちサイドフレームが設けられない両サイドの前後を掛接することで、前記収納かごフレームが形成されることを特徴とする請求項１に記載の収納かご。
【考案の詳細な説明】
【技術分野】
【０００１】
本考案は、日常生活用品の技術分野に属し、特に、溶接レスのパンチ張り出しメッシュプレートからなる物品を保管するための収納かごに関する。
【背景技術】
【０００２】
収納かごは、家庭、オフィス、レジャーシーンに広く活用されており、特に、事務用品や生活用品の収納に適している。収納かごは、収納かご底板と収納かごフレームを溶接して形成される。従来の収納かごは、複数のメッシュシートを何度も溶接して形成せねばならないことから、溶接コストが嵩み、生産効率が低く、製品の外観に劣るほか、手を傷つけるといった安全上の懸念も存在する。現在のところ、溶接コストの削減、生産効率の向上、外観の美しさ、安全性及び実用性といった機能を実現可能な収納かごは市販されていない。そこで、溶接コストの削減、生産効率の向上、製品の外観的美しさ、実用性及び安全性といった機能を実現可能な収納かごを設計することが当業者にとっては早急に解決を要する課題となっている。
【考案の概要】
【考案が解決しようとする課題】
【０００３】
本考案は、従来の収納かごと比較して、溶接コストが抑えられ、生産効率が高く、製品外観が美しく、実用的且つ安全であるとの利点を有する収納かごを提供することを目的とする。
【課題を解決するための手段】
【０００４】
本考案は、物品を保管するための収納かごであって、収納かごフレームと収納かご底板を含み、前記収納かごフレームはメッシュプレート本体からなり、前記メッシュプレート本体は溶接レスのパンチ張り出しメッシュプレートであり、前記メッシュプレート本体は、メッシュプレート本体中央部のメッシュシートと、メッシュプレート本体両側のサイドフレームを含み、前記メッシュプレート本体両側のサイドフレームは、一方が前記メッシュシートに対し垂直な方向に折り曲げられることで外サイドフレームを形成し、他方が反対方向に折り曲げられることで内サイドフレームを形成し、前記メッシュプレート本体のうちサイドフレームが設けられない両サイドの前後を連接することで前記収納かごフレームが形成され、前記メッシュプレート本体は溶接不要の一体成型構造であり、前記収納かご底板は、前記収納かごが形成されるよう前記収納かごフレームの底部における内サイドフレームに配設される収納かごを提供する。
【０００５】
選択的に、前記溶接レスのパンチ張り出しメッシュプレートは、長方形、正方形、円形、菱形又は扇形である。
【０００６】
選択的に、前記メッシュプレート本体中央部のメッシュシートには、複数のメッシュが開設されている。
【０００７】
選択的に、前記メッシュは菱形である。
【０００８】
選択的に、前記収納かご底板は、溶接レスのパンチ張り出しメッシュプレートであり、前記メッシュプレートのうちサイドフレームが設けられない両サイドには、メッシュシート両端の尖端部で人を傷つけることのないよう、防護サイドフレームが設けられている。
【０００９】
選択的に、前記メッシュプレート本体は、金属メッシュプレート本体として設けられる。
【００１０】
選択的に、前記メッシュプレート本体のうちサイドフレームが設けられない両サイドの前後を連接して溶接することで、前記収納かごフレームが形成される。
【００１１】
選択的に、前記収納かご底板は、ネジで前記収納かごフレームの底部における内サイドフレームに固定される。
【００１２】
選択的に、前記メッシュプレート本体のうちサイドフレームが設けられない両サイドの前後を掛接することで、前記収納かごフレームが形成される。
【考案の効果】
【００１３】
従来技術と比較して、本考案の技術方案は以下の利点を有する。即ち、本考案におけるメッシュプレート本体中央部のメッシュシートとメッシュプレート本体両側のサイドフレームは、溶接不要の一体的な張り出し成型構造である。収納かごフレームは、メッシュプレート本体のうちサイドフレームのない両サイドを突き合わせて１回溶接することでなり、且つ、収納かご底板と溶接することで収納かごが形成される。収納かごフレームには溶接継手が１つしか存在しないため、溶接コストの削減、生産効率の向上、製品の外観的美しさ、実用性、安全性といった機能が実現される。
【図面の簡単な説明】
【００１４】
【図１】図１は、本考案における収納かごの斜視図である。
【図２】図２は、図１に示した収納かごフレームの斜視図である。
【図３】図３は、図１に示した収納かごフレームの平面展開構造を示す図である。
【図４】図４は、図１に示した収納かご底板の構造を示す分解図である。
【考案を実施するための形態】
【００１５】
本考案の各実施例の技術方案について詳細に説明する前に、関係する名詞及び用語について説明しておく。本明細書では、名称が同じ又は符号が同じ部材は類似又は同一の構造を表しており、且つ、これらは単に説明のためのものにすぎない。
【００１６】
本考案で提供する収納かごは物品を保管するためのものであって、収納かごフレーム及び収納かご底板を含む。前記収納かご底板が前記収納かごフレームの底部に配設されるとともに、溶接によって前記収納かごフレームの底部に固定されることで、前記収納かごが形成される。ここで、本考案の実施形態につき詳細に説明するために、更に、図１〜４及び対応の説明を参照し、組み合わせる。
【００１７】
本実施例は収納かごを提供する。図１は収納かごの斜視図を示している。図１に示すように、本実施例は、収納かごフレーム１００と、収納かご底板２００を含む。前記収納かご底板２００が前記収納かごフレーム１００の底部に配設されるとともに、溶接によって前記収納かごフレーム１００の底部に固定されることで、前記収納かごが形成される。なお、本考案はこれに制限せず、他の実施例では溶接工程を更に削減すべく、ネジ溶接によって前記収納かご底板２００を前記収納かごフレーム１００の底部に固定してもよい。
【００１８】
前記収納かごの部材である収納かごフレーム１００については、具体的に、図２及び図３を参照する。図２は、本実施例の収納かごの部材である収納かごフレームの斜視図を示している。また、図３は、本実施例の収納かごフレームの平面展開構造を示している。
【００１９】
前記収納かごフレームの平面展開構造とは、前記収納かごフレームを形成する溶接レスのパンチ張り出しメッシュプレートのことをいう。前記溶接レスのパンチ張り出しメッシュプレートは、メッシュプレート本体３００を含む。前記メッシュプレート本体３００は、メッシュプレート本体中央部のメッシュシート３０１、メッシュプレート本体の一方の側の第１サイドフレーム３０２、及び、前記第１サイドフレーム３０２に対向する第２サイドフレーム３０３を含む。前記メッシュシート３０１には複数のメッシュが開設されている。前記メッシュプレート本体中央部のメッシュシート３０１と、前記メッシュプレート本体両側の第１サイドフレーム３０２及び第２サイドフレーム３０３は溶接不要の一体成型構造となっているため、溶接コストの削減、生産効率の向上、製品の外観的美しさといった機能が実現される。
【００２０】
前記メッシュプレート本体の一方の側の第１サイドフレーム３０２は、前記メッシュシート３０１に対し垂直な方向に折り曲げられることで、前記収納かごフレームの外サイドフレーム１０１を形成する。また、前記メッシュプレート本体の一方の側の第１サイドフレーム３０２と対向する第２サイドフレーム３０３は、反対方向に折り曲げられることで前記収納かごフレームの内サイドフレーム１０２を形成する。そして、前記メッシュプレート本体中央部のメッシュシートのうちサイドフレームのない両サイドを付き合わせ、１回溶接して成形することで、前記収納かごフレーム１００が形成される。なお、本考案ではこれに制限せず、他の実施例では、前記メッシュプレート本体中央部のメッシュシートのうちサイドフレームのない両サイドを突き合わせた後に、一体的に掛接することで前記収納かごフレーム１００を形成してもよい。
【００２１】
前記外サイドフレーム１０１と内サイドフレーム１０２は折り曲げにより形成され、外側に露出する部分が折り曲げによる丸みを帯びた角となっているため、外部のものを傷つける確率を効果的に低下させられる。
【００２２】
前記収納かごの部材である収納かご底板２００については、具体的に図４を参照する。図４は、本実施例の収納かごの部材である収納かご底板の構造を示す分解図である。前記収納かご底板２００は、溶接レスのパンチ張り出しメッシュプレートからなり、メッシュプレート本体４００を含む。前記メッシュプレート本体４００は、メッシュプレート本体中央部のメッシュシート４０１、メッシュプレート本体の一方の側の第３サイドフレーム４０２、前記第３サイドフレーム４０２に対向する第４サイドフレーム４０３、サイドフレームが設けられない両サイドに設けられるＶ型の第１防護サイドフレーム４０４及びＶ型の第２防護サイドフレーム４０５を含む。前記第１防護サイドフレーム４０４と第２防護サイドフレーム４０５は、メッシュシート両端の尖端部によって人を傷つけないよう防止するために用いられる。
【００２３】
前記メッシュプレート本体中央部のメッシュシート４０１と、メッシュプレート本体両側の第１防護サイドフレーム４０２及び第２防護サイドフレーム４０５は溶接不要の一体成型構造となっているため、溶接コストの削減、生産効率の向上、製品の外観的美しさ、実用性、安全性といった機能が実現される。
【００２４】
なお、好ましい実施方案を組み合わせて本考案の内容につき具体的に述べたが、当業者であれば、添付の請求の範囲で限定される本考案の精神及び範囲において、本考案の具体的実施形態につき各種の部分的変形を実施可能である。また、形式上及び詳細において、本考案につき各種の変更又は調整を実施可能であり、これらはいずれも本考案の保護の範囲となる。
【図１】
0003217530.tif 000003
【図２】
0003217530.tif 000004
【図３】
0003217530.tif 000005
【図４】
0003217530.tif 000006